(57)【要約】      （修正有）【課題】隣り合う各コンクリート部材の端部に埋設された各受部材同士の左右方向や上下方向のずれが生じた場合であっても、受部材と繋ぎ部材とを結合できるコンクリート部材の継手と継手の製造方法を提供する。【解決手段】隣り合う各コンクリート部材の端部側にそれぞれ設置された受部材と、互いに隣り合う各受部材を繋ぐ繋ぎ部材と、楔部材とを備え、受部材は、繋ぎ部材に設けられた挿入部が挿入される凹部と、コンクリート部材のコンクリートに定着される定着部とを備え、繋ぎ部材は、互いに隣り合う各受部材の各凹部に挿入される一対の挿入部と、一対の挿入部を繋ぐ連結部とを備え、一方の受部材の凹部の内壁面と一方の挿入部とが係合されるとともに、他方の受部材の凹部の内壁面と他方の挿入部との間に楔部材が嵌入されたことによって、互いに隣り合う各受部材と繋ぎ部材とが結合されて、隣り合う各コンクリート部材が連結されるように構成された。【選択図】図４
2020159121.tif 000002
【特許請求の範囲】
【請求項１】
コンクリート部材同士を連結するためのコンクリート部材の継手であって、
隣り合う各コンクリート部材の端部側にそれぞれ設置された受部材と、互いに隣り合う各受部材を繋ぐ繋ぎ部材と、楔部材とを備え、
受部材は、繋ぎ部材に設けられた挿入部が挿入される凹部と、コンクリート部材のコンクリートに定着される定着部とを備え、
繋ぎ部材は、互いに隣り合う各受部材の各凹部に挿入される一対の挿入部と、一対の挿入部を繋ぐ連結部とを備え、
一方の受部材の凹部の内壁面と一方の挿入部とが係合されるとともに、他方の受部材の凹部の内壁面と他方の挿入部との間に楔部材が嵌入されたことによって、互いに隣り合う各受部材と繋ぎ部材とが結合されて、隣り合う各コンクリート部材が連結されるように構成されたことを特徴とするコンクリート部材の継手。
【請求項２】
一方の受部材の凹部の内壁面と一方の挿入部との面接触により、一方の受部材の凹部の内壁面と一方の挿入部とが係合されたことを特徴とする請求項１に記載のコンクリート部材の継手。
【請求項３】
一方の受部材の凹部の内壁面と一方の挿入部との間に楔部材が嵌入されたことにより、一方の受部材の凹部の内壁面と一方の挿入部とが係合されたことを特徴とする請求項１に記載のコンクリート部材の継手。
【請求項４】
受部材の凹部の内壁面と楔部材とが互いに面接触する面を備えたことを特徴とする請求項１乃至請求項３のいずれか一項に記載のコンクリート部材の継手。
【請求項５】
楔部材が嵌入される隙間を形成する凹部の内壁面が垂直であるとともに、当該内壁面と対向する挿入部の対向面が、凹部の開口側から凹部の底側に近付くほど内壁面に近付くように傾斜していることを特徴とする請求項１乃至請求項４のいずれか一項に記載のコンクリート部材の継手。
【請求項６】
楔部材が嵌入される隙間を形成する凹部の内壁面が傾斜しているとともに、当該内壁面と対向する挿入部の対向面が、凹部の開口側から凹部の底側に近付くほど内壁面に近付くように形成されていることを特徴とする請求項１乃至請求項４のいずれか一項に記載のコンクリート部材の継手。
【請求項７】
楔部材が嵌入される隙間を形成する凹部を有した受部材は、凹部の内壁面が傾斜面となるよう傾けられてコンクリート部材の端部側に設置されたことを特徴とする請求項６に記載のコンクリート部材の継手。
【請求項８】
楔部材が、繋ぎ部材の挿入部において連結部を挟んで隣り合う一対の内面にそれぞれ対応するように設けられたことを特徴とする請求項１乃至請求項７のいずれか一項に記載のコンクリート部材の継手。
【請求項９】
コンクリート部材が、橋梁用の床版、又は、橋梁用の壁高欄であることを特徴とする請求項１乃至請求項８のいずれか一項に記載のコンクリート部材の継手。
【請求項１０】
請求項１乃至請求項９のいずれか一項に記載のコンクリート部材の継手の製造方法であって、
それぞれ受部材の一部となる複数の部材を、切断加工によって製作し、これら複数の部材を積層することによって、受部材を製造したことを特徴とするコンクリート部材の継手の製造方法。
【発明の詳細な説明】
【技術分野】
【０００１】
本発明は、コンクリート部材同士を連結するためのコンクリート部材の継手等に関する。
【背景技術】
【０００２】
橋軸直角方向（橋幅方向）に並設された複数の主桁上にコンクリート部材としての例えば橋梁用コンクリートプレキャスト製の床版を架け渡し、橋軸方向に沿って隣り合う床版同士をコッター式継手と呼ばれる継手を用いて接続する床版接続工法が知られている（特許文献１参照）。
当該継手は、隣り合う各床版の端部側にそれぞれ設置された受部材と、互いに隣り合う各受部材を繋ぐ繋ぎ部材と、繋ぐ繋ぎ部材を受部材に固定するボルトとを備えた構成である。受部材は、繋ぎ部材に設けられた係合部が係合する係合受部を備えた係合受部と、床版のコンクリートに定着される例えば定着筋等の鋼材により形成された定着部とを備える。繋ぎ部材は、互いに隣り合う各床版の各端部にそれぞれ設置された受部材の各係合受部に係合する一対の係合部と、一対の係合部を繋ぐ連結部とを備える。
当該継手によれば、橋軸方向に沿って隣り合う各床版の端部にそれぞれ埋設された各係合受部の各係合受部内に繋ぎ部材の各係合部を挿入した後、係合受部内に嵌め込まれた係合部の固定部に形成されたボルト挿入孔にボルトを挿入し、各係合受部の底版に形成されたねじ孔にボルトを締結することによって、繋ぎ部材と係合受部とが固定され、当該継手により、互いに隣り合う各床版が接続される。
【先行技術文献】
【特許文献】
【０００３】
【特許文献１】特許第５７８７９６５号公報
【発明の概要】
【発明が解決しようとする課題】
【０００４】
しかしながら、継手の製造誤差、床版の製作誤差や収縮量（反り）のばらつき、腐食防止のために継手に塗布されるエポキシ樹脂の塗布量のばらつき、床版架設時の施工誤差等によって、隣り合う各床版の端部に埋設された各係合受部同士の左右方向や上下方向のずれが生じる。このずれが大きい場合は、繋ぎ部材の係合部を係合受部の係合受部内に嵌め込むことが困難となり、繋ぎ部材と係合受部とを結合できなくなってしまう。また、繋ぎ部材の係合部を係合受部内に嵌め込むことができたとしても、係合受部内に嵌め込まれた係合部のボルト挿入孔と各係合受部の底版のねじ孔とが一致しなくなるため、ボルトを締結することができず、繋ぎ部材と係合受部とを結合できなくなってしまう。このように、繋ぎ部材と係合受部とを結合できない場合、当該継手部分で応力の伝達ができず、継手部分で損壊を招く恐れがある。
本発明は、隣り合う各コンクリート部材の端部に埋設された各受部材同士の左右方向や上下方向のずれが生じた場合であっても、受部材と繋ぎ部材とを結合できるコンクリート部材の継手等を提供する。
【課題を解決するための手段】
【０００５】
本発明に係るコンクリート部材の継手は、コンクリート部材同士を連結するためのコンクリート部材の継手であって、隣り合う各コンクリート部材の端部側にそれぞれ設置された受部材と、互いに隣り合う各受部材を繋ぐ繋ぎ部材と、楔部材とを備え、受部材は、繋ぎ部材に設けられた挿入部が挿入される凹部と、コンクリート部材のコンクリートに定着される定着部とを備え、繋ぎ部材は、互いに隣り合う各受部材の各凹部に挿入される一対の挿入部と、一対の挿入部を繋ぐ連結部とを備え、一方の受部材の凹部の内壁面と一方の挿入部とが係合されるとともに、他方の受部材の凹部の内壁面と他方の挿入部との間に楔部材が嵌入されたことによって、互いに隣り合う各受部材と繋ぎ部材とが結合されて、隣り合う各コンクリート部材が連結されるように構成されたことを特徴とするので、隣り合う各コンクリート部材の端部に埋設された各受部材同士の左右方向や上下方向のずれが生じた場合であっても、受部材と繋ぎ部材とを結合できるようになる。
また、一方の受部材の凹部の内壁面と一方の挿入部との面接触により、一方の受部材の凹部の内壁面と一方の挿入部とが係合されたことを特徴とするので、上述した効果に加え、受部材と繋ぎ部材との良好な固定状態を維持できるようになる。
また、一方の受部材の凹部の内壁面と一方の挿入部との間に楔部材が嵌入されたことにより、一方の受部材の凹部の内壁面と一方の挿入部とが係合されたことを特徴とするので、上述した効果が得られる。
また、受部材の凹部の内壁面と楔部材とが互いに面接触する面を備えたことを特徴とするので、上述した効果が得られる。
また、楔部材が嵌入される隙間を形成する凹部の内壁面が垂直であるとともに、当該内壁面と対向する挿入部の対向面が、凹部の開口側から凹部の底側に近付くほど内壁面に近付くように傾斜していることを特徴とするので、上述した効果が得られる。
また、楔部材が嵌入される隙間を形成する凹部の内壁面が傾斜しているとともに、当該内壁面と対向する挿入部の対向面が、凹部の開口側から凹部の底側に近付くほど内壁面に近付くように形成されていることを特徴とするので、上述した効果が得られる。
また、楔部材が嵌入される隙間を形成する凹部を有した受部材は、凹部の内壁面が傾斜面となるよう傾けられてコンクリート部材の端部側に設置されたことを特徴とするので、上述した効果に加え、受部材の製造が簡単となり、受部材の製造コストを低減できるようになるとともに、繋ぎ部材の製造が簡単となり、繋ぎ部材の製造コストを低減できるようになる。
また、楔部材が、繋ぎ部材の挿入部において連結部を挟んで隣り合う一対の内面にそれぞれ対応するように設けられたので、上述した効果に加え、受部材と繋ぎ部材との結合において、左右のバランスが良好な固定状態を維持できるようになる。
また、コンクリート部材が、橋梁用の床版、又は、橋梁用の壁高欄であるので、橋軸方向Ｘに沿って隣り合う床版同士を接合したり、橋軸方向Ｘに沿って隣り合う壁高欄同士を接合することが可能となる。
本発明に係るコンクリート部材の継手の製造方法は、それぞれ受部材の一部となる複数の部材を、切断加工によって製作し、これら複数の部材を積層することによって、受部材を製造したので、受部材を安価に製作できる。
【図面の簡単な説明】
【０００６】
【図１】床版接続構造を上方から見た図。
【図２】継手を示す分解斜視図（実施形態１）。
【図３】継手の各受部材と繋ぎ部材とが楔部材で連結された状態を示す斜視図（実施形態１）。
【図４】継手の各受部材と繋ぎ部材とを楔部材で連結する手順を示す説明図（実施形態１）。
【図５】継手の受部材の製造方法を示す図（実施形態２）。
【図６】継手の各受部材と繋ぎ部材とが楔部材で連結された状態を示す断面図（実施形態３）。
【図７】継手の各受部材と繋ぎ部材とが楔部材で連結された状態を示す断面図（実施形態４）。
【図８】継手の各受部材と繋ぎ部材とが楔部材で連結された状態を示す断面図（実施形態５）。
【図９】継手の各受部材と繋ぎ部材とが楔部材で連結された状態を示す断面図（実施形態６）。
【図１０】継手の各受部材と繋ぎ部材とを楔部材で連結する手順を示す説明図（実施形態７）。
【発明を実施するための形態】
【０００７】
実施形態１
例えば図１に示すように、橋軸直角方向（橋幅方向）Ｙに並設された図外の複数の主桁上に架け渡されて橋軸方向Ｘに沿って隣り合うコンクリート部材としての橋梁用コンクリートプレキャスト製の床版１０，１０同士を連結する実施形態１に係る継手１は、橋軸方向Ｘに沿って隣り合う各床版１０，１０のうちの一方の床版１０の端部１１側に設置された受部材２Ａと、橋軸方向Ｘに沿って隣り合う各床版１０，１０のうちの他方の床版１０の端部１１側に設置された受部材２Ｂと、橋軸方向Ｘに沿って隣り合う一方の床版１０の端部１１に設置された受部材２Ａと他方の床版１０の端部１１に設置された２Ｂとを繋ぐ繋ぎ部材３と、互いに隣り合う各受部材２Ａ，２Ｂと繋ぎ部材３とを結合させる楔部材４とを備えて構成される。
【０００８】
図２，図３に示すように、一方の受部材２Ａは、繋ぎ部材３に設けられた一方の挿入部３１Ａが挿入される凹部２１Ａが形成された受部２２Ａと、床版１０のコンクリートに定着される定着筋等の定着部２３とを備える。
他方の受部材２Ｂは、繋ぎ部材３に設けられた他方の挿入部３１Ｂが挿入される凹部２１Ｂが形成された受部２２Ｂと、床版１０のコンクリートに定着される定着筋等の定着部２３とを備える。
受部材２Ａ,２Ｂは、水平面に設置された場合に、当該水平面と面接触する平行な面(平坦面)に形成された下面２ｕ（図４（ａ）参照）を備える。
繋ぎ部材３は、一方の受部材２Ａの凹部２２Ａに挿入される一方の挿入部３１Ａと、他方の受部材２Ｂの凹部２１Ｂに挿入される他方の挿入部３１Ｂと、挿入部３１Ａと挿入部３１Ｂとを繋ぐ連結部３２とを備える。連結部３２は、一方の挿入部３１Ａの左右間の中央部と他方の挿入部３１Ｂの左右間の中央部と連結する平板により形成される。当該連結部３２は、連結部挿入溝６０の溝幅よりも若干狭い寸法の板厚の平板により形成される。
繋ぎ部材３は、水平面に設置された場合に、当該水平面と面接触する平行な面(平坦面)に形成された下面３ｕ（図４（ａ）参照）を備える。
そして、一方の受部材２Ａの凹部２１Ａの内壁面と一方の挿入部３１Ａの係合面とを係合させた状態で、他方の受部材２Ｂの凹部２１Ｂの内壁面と他方の挿入部３１Ｂの対向面との間に楔部材４が嵌入されて、互いに隣り合う各受部材２Ａ，２Ｂと繋ぎ部材３とが結合されることにより、互いに隣り合う床版１０，１０が連結されることになる（図４（ｃ）参照）。
【０００９】
図４，図２に示すように、凹部２１Ａ，２１Ｂは、例えば長方形状、正方形状等の底版２５と、底版２５の互いに対向する一方の一対の端縁のうちの一方の端縁側（例えば定着部２３が設けられる側の辺縁側）より立ち上がるように設けられた妻壁２６と、底版２５の互いに対向する他方の一対の各端縁側よりそれぞれ立ち上がるように設けられた左右の側壁２７，２７と、底版２５の互いに対向する一方の一対の端縁のうちの他方の端縁側（例えば定着部２３が設けられる側とは反対側の辺縁側）より立ち上がるように設けられた対向壁２８とで囲まれて、かつ、挿入部３１Ａ，３１Ｂが挿入される挿入部挿入口、即ち、凹部２１Ａ，２１Ｂの開口２９が、妻壁２６、側壁２７，２７、対向壁２８の上端縁で囲まれた上部開口により形成された構成である。
底版２５は、対向壁２８が立ち上がる側の端縁以外の端縁が円形縁や多角形縁等に形成された形状であってもよい。即ち、凹部２１Ａ，２１Ｂは、底版２５の円形縁側や多角形縁側等から立ち上がるような左右の側壁２７，２７と妻壁２６とが一体となった湾曲壁や多角形壁等と対向壁２８とで囲まれるように形成された構成であってもよい。
尚、受部材２Ａ,２Ｂは、下面２ｕが床版１０の平坦な板面である下面１０ｕ（図４（ａ）参照）と平行になるように床版１０の端部１１側に設置され、従って、下面１０ｕが水平面と接触するように床版１０を設置した場合、受部材２Ａ,２Ｂの下面２ｕが水平面となる。従って、以下、複数の主桁上に架け渡された床版１０の下面１０ｕと直交する方向を上下と定義するとともに、橋軸方向Ｘに沿って隣り合う各床版１０，１０の端面１１ｓ，１１ｓ（図１参照）に沿った水平方向（橋軸直角方向（橋幅方向）Ｙ）を左右と定義して説明する。
【００１０】
図２に示すように、床版１０の端部１１側に設置される受部材２Ａ,２Ｂの対向壁２８の左右の中央位置には、繋ぎ部材３の連結部３２を挿入するための連結部挿入溝６０が形成されている。当該連結部挿入溝６０は、開口２９から底版２５の内底面２５ａ側に延長するように形成されている。
また、左右の側壁２７，２７の外面には、せん断抵抗を大きくするとともに床版１０のコンクリートとの付着力を大きくするために、凹凸部６１が形成されている。
【００１１】
図４（ａ）に示すように、例えば、凹部２１Ａの底板２５の内底面２５ａは下面２ｕと平行な平面に形成されており、妻壁２６の内壁面２６ａ、及び、側壁２７，２７の内壁面２７ａは、内底面２５ａに対して垂直面に形成されている。そして、凹部２１Ａの対向壁２８の内壁面２８ａは、内底面２５ａから開口２９に向けて傾斜して立ち上がる傾斜面に形成されている。この内壁面２８ａを形成する傾斜面は、開口２９に近付くほど、妻壁２６の内壁面２６ａから離れるように傾斜する傾斜面に形成されている。
また、例えば、凹部２１Ｂの底板２５の内底面２５ａは下面２ｕと平行な平面に形成されており、妻壁２６の内壁面、側壁２７，２７の内壁面、及び、対向壁２８の内壁面２８ｂは、底板２５の内底面２５ａに対して垂直面に形成されている（図４（ａ）参照）。
【００１２】
図４に示すように、受部材２Ａ，２Ｂは、開口２９及び連結部挿入溝６０を外部に露出させた状態で受部２２Ａ，２２Ｂが床版１０の端部１１側に埋め込まれ、妻壁２６から床版１０の中央側に延長するように設けられた定着部２３が床版１０に埋め込まれている。
即ち、開口２９及び連結部挿入溝６０が外部に露出して他の部分が床版１０のコンクリートに埋設されるように受部材２Ａ又は受部材２Ｂを図外の型枠に取付けた後に当該型枠内にコンクリートを流し込んでコンクリートを硬化させた後、受部材２Ａ又は受部材２Ｂを型枠から取り外して脱型することにより、端部１１側に受部材２Ａ又は受部材２Ｂが埋め込まれて固定された橋梁用コンクリートプレキャスト製の床版１０が形成される。
【００１３】
図２に示すように、繋ぎ部材３は、上から見てＨ形の上面３ｔ、及び、下から見てＨ形の下面３ｕが、互いに平行に対向する平面に形成され、挿入部３１Ａ，３１Ｂの外面３ｆは、互いに平行に対向するとともに上面３ｔ及び下面３ｕと垂直をなす平面により形成され、挿入部３１Ａの内面３１ａと挿入部３１Ｂの内面３１ｂとが互いに対向する面に形成される。即ち、挿入部３１Ａの内面３１ａと挿入部３１Ｂの内面３１ｂとの間の対向間隔は、挿入部３１Ａの外面と挿入部３１Ｂの外面との間の対向間隔よりも短い。
そして、図４（ａ）に示すように、一方の挿入部３１Ａの内面３１ａは、上面３ｔから下面３ｕに向けて傾斜する傾斜面に形成される。この傾斜面は、下面３ｕに近付くほど、挿入部３１Ａの外面３ｆに近付くように傾斜する傾斜面に形成されており、この傾斜面と凹部２１Ａの対向壁２８の内壁面２８ａを形成する傾斜面とが互いに面接触する傾斜面に形成されている。
また、他方の挿入部３１Ｂの内面３１ｂは、上面３ｔから下面３ｕに向けて傾斜する傾斜面に形成される。この傾斜面は、下面３ｕに近付くほど、挿入部３１Ｂの外面３ｆから離れるように傾斜する傾斜面に形成されており、この傾斜面と、この傾斜面と間隔を隔てて対向する凹部２１Ｂの対向壁２８の内壁面２８ｂとが、楔部材４と面接触する楔部材嵌入面として機能する。即ち、図４（ｂ）に示すように、他方の挿入部３１Ｂの内面３１ｂと凹部２１Ｂの対向壁２８の内壁面２８ｂとの間で楔部材嵌入空間４ｕが形成される。当該楔部材嵌入空間４ｕは、凹部２１Ｂの開口２９側から底側に近付くほど間隔が狭くなるような断面逆三角形状の空間により形成される。
【００１４】
図２に示すように、楔部材４は、他方の挿入部３１Ｂの内面３１ｂである傾斜面と凹部２１Ｂの対向壁２８の内壁面２８ｂである傾斜面ではない面（垂直面）との間の楔部材嵌入空間４ｕに嵌入可能な形状に形成される。即ち、楔部材４は、他方の挿入部３１Ｂの内面３１ｂと接触する傾斜面４ａと、凹部２１Ｂの対向壁２８の内壁面２８ｂと接触する傾斜面ではない面（垂直面）４ｂとを備え、他方の挿入部３１Ｂの傾斜面である内面３１ｂの傾斜角度と当該他方の挿入部３１Ｂの内面３１ｂに接触する楔部材４の傾斜面４ａの傾斜角度とが同一傾斜角度に形成されている。
また、図２，図３に示すように、楔部材４は、繋ぎ部材３の挿入部３１Ｂにおいて連結部３２を挟んで隣り合う一対の内面３１ｂ，３１ｂにそれぞれ対応するように設けられる。
【００１５】
次に、継手１を用いた接合方法について図４を参照しながら説明する。
図４（ａ）に示すように、一方の床版１０の端部１１側に埋設された受部材２Ａの対向壁２８と他方の床版１０の端部１１側に埋設された受部材２Ｂの対向壁２８とが橋軸方向Ｘに沿って隣り合うように、当該一方の床版１０と他方の床版１０とを設置する。
そして、図４（ｂ）に示すように、繋ぎ部材３の一方の挿入部３１Ａを一方の受部材２Ａの凹部２１Ａに挿入するとともに、繋ぎ部材３の他方の挿入部３１Ｂを他方の受部材２Ｂの凹部２１Ｂに挿入して、一方の挿入部３１Ａの係合面となる内面３１ａと一方の受部材２Ａの凹部２１Ａの対向壁２８の内壁面２８ａとが面接触するように係合させた状態とすることにより、他方の挿入部３１Ｂの対向面となる内面３１ｂと他方の受部材２Ｂの凹部２１Ｂの対向壁２８の内壁面２８ｂとの間に楔部材４を嵌入するための楔部材嵌入空間４ｕを形成する。
そして、図４（ｃ），図３に示すように、楔部材４を楔部材嵌入空間４ｕに嵌入する。即ち、楔部材４の傾斜面４ａの全面が他方の挿入部３１Ｂの内面３１ｂに接触した状態で当該内面３１ｂを摺動しながら当該内面３１ｂを押圧するとともに、楔部材４の面（垂直面）４ｂの全面が凹部２１Ｂの対向壁２８の内壁面２８ｂに接触した状態で当該内壁面２８ｂを摺動しながら当該内壁面２８ｂを押圧することによる、楔部材４の圧入動作によって、楔部材４の傾斜面４ａの全面と他方の挿入部３１Ｂの内面３１ｂとが密着するとともに、楔部材４の面（垂直面）４ｂの全面と凹部２１Ｂの対向壁２８の内壁面２８ｂとが密着し、これにより、他方の挿入部３１Ｂと他方の受部材２Ｂとが固定状態に結合されるとともに、一方の挿入部３１Ａと一方の受部材２Ａとが互いに密着して固定状態に結合されて、互いに隣り合う床版１０，１０同士が連結されることになる。
即ち、実施形態１では、一方の受部材２Ａの凹部２１Ａの対向壁２８における傾斜面に形成された内壁面２８ａと一方の挿入部３１Ａの傾斜面に形成された内面３１ａとの面接触により、一方の受部材２Ａの凹部２１Ａの内壁面２８ａと一方の挿入部３１Ａとが係合されるとともに、他方の受部材２Ｂの凹部２１Ｂの対向壁２８の垂直面となる内壁面２８ｂと他方の挿入部３１Ｂの傾斜面（凹部２１Ｂの開口２９側から凹部２１Ｂの底側に近付くほど内壁面２８ｂに近付くように傾斜する傾斜面）となる内面３１ｂとの間に楔部材４が嵌入されたことによって、互いに隣り合う各受部材２Ａ；２Ｂと繋ぎ部材３とが結合されて、互いに隣り合う床版１０，１０同士が連結されることになる。
また、繋ぎ部材３の挿入部３１Ｂにおいて連結部３２を挟んで隣り合う一対の内面３１ｂ，３１ｂにそれぞれ対応するように楔部材４，４が圧入されるので、各受部材２Ａ，２Ｂと繋ぎ部材３との結合において、左右のバランスが良好な固定状態を維持できるようになる。
【００１６】
橋軸方向Ｘに沿って隣り合う床版１０，１０同士が継手１で連結された後、図４（ｄ）に示すように、凹部２１Ａ，２１Ｂ内、及び、凹部２１Ａ，２１Ｂと繋ぎ部材３の上方にモルタルやコンクリート等の充填材１６を充填することにより、繋ぎ部材３の凹部２１Ａ，２１Ｂからの抜け防止が図れるとともに、図１に示すように、隣り合う床版１０，１０の端面１１ｓ，１１ｓ間の隙間である目地１５に充填材１６を充填することにより、互いに隣り合う床版１０，１０同士の接合が完了する。
【００１７】
実施形態１の継手１によれば、橋軸方向Ｘに沿って隣り合う各床版１０，１０の端部１１，１１に埋設された各受部材２Ａ，２Ｂ同士の左右方向や上下方向のずれが生じた場合であっても、繋ぎ部材３と受部材２Ａ，２Ｂとを結合できるようになる。
【００１８】
実施形態２
上述した実施形態１、及び、後述する各実施形態の継手１は、成型型に鋳鉄を流し込んで製作したり、例えばレーザーやプレス等の切断手段を用いた切断加工によって製作した複数の部材を積層して製造してもよい。成型型に鋳鉄を流し込んで製造する場合、コストが嵩むが、このように複数の部材を積層して製造する場合、継手１を安価に製造できる。
即ち、それぞれ受部材（２Ａや２Ｂ）の一部となる複数の部材を、切断加工によって製作し、これら複数の部材を積層することによって、受部材を製造するようにしても良い。
言い換えれば、受部材を一方方向に沿った複数の位置で分断したような複数の部材を、それぞれ切断加工によって製造し、これら複数の部材を積層して接着や溶接等の接合手段で接合することによって、受部材を製造するようにしても良い。
例えば、図５に示すように、受部材を凹部の内底面２５ａ（図４（ａ）参照）と直交する方向（上下方向）Ｘに沿った複数の位置で分断したような複数の部材ａ，ａ…（即ち、受部材を凹部の内底面２５ａと平行な分断面で複数に分断したような複数の部材ａ，ａ…）を、それぞれレーザー切断加工によって製造し、これら複数の部材ａ，ａ…を積層して接着や溶接等の接合手段で接合することによって、受部材（２Ａや２Ｂ）を製造するようにしても良い。レーザー切断加工によれば、切断面の加工精度が良くなり、品質精度の高い受部材（２Ａや２Ｂ）を安価に製造できる。
尚、この部材ａの上下方向の厚さ寸法は、例えば凹凸部６１の凸部の上下方向の厚さ寸法を基準として決めればよい。
また、受部材の定着部２３は、部材ａと一体となるように切断されて形成されたものであっても良いし、部材ａと別体の定着部２３が部材ａに接続された構成としてもよい。例えば、定着部２３として定着筋を用いる場合には、当該定着筋の一端を部材ａに接続すればよい（図８参照）。
また、受部材を凹部の内底面２５ａと平行な方向（横方向）に沿った複数の位置で分断したような複数の部材（即ち、受部材を凹部の内底面２５ａと直交する分断面で複数に分断したような複数の部材）を、それぞれレーザー切断加工によって製造し、これら複数の部材を積層して接着や溶接等の接合手段によって接合することによって、受部材を製造するようにしても良い。
【００１９】
また、繋ぎ部材を一方方向（上下方向Ｘや横方向）に沿った複数の位置で分断したような複数の部材を、それぞれ切断加工によって製造し、これら複数の部材を積層して接着や溶接等の接合手段で接合することによって、繋ぎ部材を製造するようにしても良い。
また、楔部材を切断加工によって製造してもよい。
尚、受部材、繋ぎ部材、楔部材のすべてをレーザー切断加工によって製造すれば、受部材と繋ぎ部材との接触面同士の面接触精度、受部材と楔部材との接触面同士の面接触精度、繋ぎ部材と楔部材との接触面同士の面接触精度が向上するので、好ましい。
【００２０】
実施形態３
図６に示すように、実施形態１で説明した凹部２１Ｂの対向壁２８の内壁面２８ｂを、凹部２１Ｂの内底面２５ａから開口２９に向けて傾斜して立ち上がる傾斜面に形成する。この内壁面２８ｂを形成する傾斜面は、開口２９に近付くほど、妻壁２６の内壁面から離れるように傾斜する傾斜面に形成する。また、実施形態１で説明した他方の挿入部３１Ｂの内面３１ｂを、繋ぎ部材３の下面３ｕから垂直に立ち上がる垂直面に形成する。
そして、他方の挿入部３１Ｂの対向面となる内面３１ｂと他方の受部材２Ｂの凹部２１Ｂにおける対向壁２８の内壁面２８ｂとの間に楔部材４を嵌入することにより、実施形態１と同様に、楔部材４の圧入動作によって他方の挿入部３１Ｂと他方の受部材２Ｂとが固定状態に結合されるとともに、一方の挿入部３１Ａと一方の受部材２Ａとが互いに密着して固定状態に結合されて、互いに隣り合う床版１０，１０同士が連結されることになる。
即ち、実施形態３では、一方の受部材２Ａの凹部２１Ａの対向壁２８における傾斜面に形成された内壁面２８ａと一方の挿入部３１Ａの傾斜面に形成された内面３１ｂとの面接触により、一方の受部材２Ａの凹部２１Ａの内壁面２８ａと一方の挿入部３１Ａとが係合されるとともに、他方の受部材２Ｂの凹部２１Ｂの対向壁２８の傾斜面となる内壁面２８ｂと他方の挿入部３１Ｂの垂直面となる内面３１ｂとの間に楔部材４が嵌入されたことによって、互いに隣り合う各受部材２Ａ；２Ｂと繋ぎ部材３とが結合されて、互いに隣り合う床版１０，１０同士が連結されることになる。
【００２１】
実施形態４
図７に示すように、凹部２１Ａ，２１Ｂの対向壁２８，２８の内壁面２８ａ，２８ｂを、凹部２１Ａ，２１Ｂの内底面２５ａから開口２９に向けて垂直に立ち上がる垂直面に形成するとともに、挿入部３１Ａ，３１Ｂの内面３１ａ，３１ｂを、繋ぎ部材３の下面３ｕから上面３ｔに向けて傾斜する傾斜面に形成する。この傾斜面は、上面３ｔから下面３ｕに近付くほど、挿入部３１Ａ，３１Ｂの外面３ｆから離れるように傾斜する傾斜面に形成する。
そして、一方の挿入部３１Ａの対向面となる内面３１ａと一方の受部材２Ａの凹部２１Ａにおける対向壁２８の内壁面２８ａとの間に楔部材４を嵌入するとともに、他方の挿入部３１Ｂの対向面となる内面３１ｂと他方の受部材２Ｂの凹部２１Ｂにおける対向壁２８の内壁面２８ｂとの間に楔部材４を嵌入することにより、楔部材４，４の圧入動作によって、一方の挿入部３１Ａと一方の受部材２Ａとが固定状態に結合されるとともに、他方の挿入部３１Ｂと他方の受部材２Ｂとが固定状態に結合されて、互いに隣り合う床版１０，１０同士が連結されることになる。
即ち、実施形態４では、一方の受部材２Ａの凹部２１Ａの対向壁２８の垂直面となる内壁面２８ａと一方の挿入部３１Ａの傾斜面となる内面３１ａの間に楔部材４が嵌入されるとともに、他方の受部材２Ｂの凹部２１Ｂの対向壁２８の垂直面となる内壁面２８ｂと他方の挿入部３１Ｂの傾斜面となる内面３１ｂとの間に楔部材４が嵌入されたことによって、互いに隣り合う各受部材２Ａ；２Ｂと繋ぎ部材３とが結合されて、互いに隣り合う床版１０，１０同士が連結される。
【００２２】
実施形態５
図８に示すように、凹部２１Ａ，２１Ｂの対向壁２８，２８の内壁面２８ａ，２８ｂを、凹部２１Ａ，２１Ｂの内底面２５ａから開口２９に向けて傾斜して立ち上がる傾斜面に形成する。この内壁面２８ｂを形成する傾斜面は、開口２９に近付くほど、妻壁２６の内壁面から離れるように傾斜する傾斜面に形成する。また、一方の挿入部３１Ａの内面３１ａ、他方の挿入部３１Ｂの内面３１ｂは、下面３ｕから上面３ｔに向けて垂直に立ち上がる垂直面に形成する。
そして、一方の挿入部３１Ａの対向面となる内面３１ａと一方の受部材２Ａの凹部２１Ａにおける対向壁２８の内壁面２８ａとの間に楔部材４を嵌入するとともに、他方の挿入部３１Ｂの対向面となる内面３１ｂと他方の受部材２Ｂの凹部２１Ｂにおける対向壁２８の内壁面２８ｂとの間に楔部材４を嵌入することにより、実施形態４（図７）と同様に、楔部材４，４の圧入動作によって、一方の挿入部３１Ａと一方の受部材２Ａとが固定状態に結合されるとともに、他方の挿入部３１Ｂと他方の受部材２Ｂとが固定状態に結合されて、互いに隣り合う床版１０，１０同士が連結される。
即ち、実施形態５では、一方の受部材２Ａの凹部２１Ａの対向壁２８の傾斜面となる内壁面２８ａと一方の挿入部３１Ａの垂直面となる内面３１ａの間に楔部材４が嵌入されるとともに、他方の受部材２Ｂの凹部２１Ｂの対向壁２８の傾斜面となる内壁面２８ｂと他方の挿入部３１Ｂの垂直面となる内面３１ｂとの間に楔部材４が嵌入されたことによって、互いに隣り合う各受部材２Ａ；２Ｂと繋ぎ部材３とが結合されて、互いに隣り合う床版１０，１０同士が連結される。
【００２３】
実施形態６
図９に示すように、凹部２１Ａ，２１Ｂの対向壁２８，２８の内壁面２８ａ，２８ｂを、凹部２１Ａ，２１Ｂの内底面２５ａから垂直に立ち上がる垂直面に形成するとともに、挿入部３１Ａ，３１Ｂの内面３１ａ，３１ｂのうちの一方の内面（例えば内面３１ａ）を、上面３ｔから下面３ｕに向けて傾斜する傾斜面に形成するとともに、他方の内面（例えば内面３１ｂ）を、上面３ｔから下面３ｕに向けて垂直に延長する垂直面に形成する。一方の内面を形成する傾斜面は、下面３ｕに近付くほど、挿入部３１Ａの外面３ｆから離れるように傾斜する傾斜面に形成する。
そして、他方の挿入部３１Ｂの内面３１ｂと他方の受部材２Ｂの凹部２１Ｂにおける対向壁２８の内壁面２８ｂとが面接触するように係合させた状態とし、かつ、一方の挿入部３１Ａの内面３１ａと一方の受部材２Ａの凹部２１Ａにおける対向壁２８の内壁面２８ａとの間に楔部材４を嵌入することにより、楔部材４の圧入動作によって、一方の挿入部３１Ａと一方の受部材２Ａとが固定状態に結合されるとともに、他方の挿入部３１Ｂと他方の受部材２Ｂとが固定状態に結合されて、互いに隣り合う床版１０，１０同士が連結されることになる。
即ち、実施形態６では、実施形態１とは逆に、一方の受部材２Ａの凹部２１Ａの対向壁２８における内壁面２８ａと一方の挿入部３１Ａの内面３１ｂとの間に楔部材４が嵌入されるとともに、他方の受部材２Ｂの凹部２１Ｂの対向壁２８における垂直面となる内壁面２８ｂと他方の挿入部３１Ｂの垂直面となる内面３１ｂとの面接触により、他方の受部材２Ｂの凹部２１Ｂの内壁面２８ｂと他方の挿入部３１Ｂとが係合されたことによって、互いに隣り合う各受部材２Ａ；２Ｂと繋ぎ部材３とが結合されて、互いに隣り合う床版１０，１０同士が連結されることになる。
【００２４】
実施形態７
受部材２Ａ；２Ｂとして、例えば下面２ｕが水平面に接触するように設置された場合に、凹部２１Ａ；２１Ｂの内底面２５ａが水平面と平行な面となるように形成されるとともに、凹部２１Ａ；２１Ｂの対向壁２８の内壁面２８ａ；２８ｂが内底面２５ａと直交する面となるように形成された構成の受部材２Ａ；２Ｂを使用する。
また、繋ぎ部材３として、一対の挿入部３１Ａ；３１Ｂの下面３ｕが水平面に接触するように設置された場合に、各凹部２１Ａ；２１Ｂに挿入されて凹部２１Ａ；２１Ｂの対向壁２８の内壁面２８ａ；２８ｂと対向することになる一対の挿入部３１Ａ；３１Ｂの互いに対向する内面３１ａ；３１ｂが水平面と直交する面となるように形成された構成の繋ぎ部材３を使用する。
図１０に示すように、凹部２１Ａ；２１Ｂの内底面２５ａ；２５ａが床版１０の下面１０ｕに対して傾斜する傾斜面となり、かつ、凹部２１Ａ；２１Ｂの対向壁２８の内壁面２８ａ；２８ｂが床版１０の端面１１ｓに対して傾斜する傾斜面となるように、受部材２Ａが傾けられて端部１１側に埋め込まれた床版１０と、受部材２Ｂが傾けられて端部１１側に埋め込まれた床版１０とを製作する。
そして、図１０（ａ）に示すように、互いに隣り合う一方の床版１０の端面１１ｓと他方の床版１０の端面１１ｓとが互いに平行に対向し、かつ、凹部２１Ａ；２１Ｂの内壁面２８ａ；２８ｂ同士が対向するように、一方の床版１０の下面１０ｕと他方の床版１０の下面１０ｕとが主桁上に設置された場合に、一方の受部材２Ａの凹部２１Ａの内壁面２８ａと他方の受部材２Ｂの凹部２１Ｂの内壁面２８ｂとが、床板１０の上面１０ｔ側から床板１０の下面１０ｕ側に向けて互いに離れるように傾斜する傾斜面となるように構成される。即ち、互いに対向する凹部２１Ａの内壁面２８ａと凹部２１Ｂの内壁面２８ｂとが、上方から下方に向けて互いに離れるように傾斜する傾斜面となるように構成される。
その後、図１０（ｂ）に示すように、一対の挿入部３１Ａ；３１Ｂの下面３ｕが床版１０の下面１０ｕと平行な面となるように一対の挿入部３１Ａ；３１Ｂが各凹部２１Ａ；２１Ｂに挿入され、図１０（ｃ）に示すように、傾斜面である凹部２１Ａの内壁面２８ａと当該内壁面２８ａと対向する面となる挿入部３１Ａの内面３１ａとの間に凹部２１Ａの上方から楔部材４が嵌入されるとともに、傾斜面である凹部２１Ｂの内壁面２８ｂと当該内壁面２８ｂと対向する面となる挿入部３１Ｂの内面３１ｂとの間に凹部２１Ｂの上方から楔部材４が嵌入されることにより、互いに隣り合う各受部材２Ａ；２Ｂと繋ぎ部材３とが結合されて、互いに隣り合う一方の床版１０と他方の床版１０とが連結される。
即ち、実施形態７では、楔部材４が嵌入される隙間を形成する凹部２１Ａ；２１Ｂを有した受部材２Ａ；２Ｂは、凹部２１Ａ；２１Ｂの内壁面２８ａ；２８ｂが傾斜面となるよう傾けられて床版１０の端部１１側に設置される。
尚、一方の床版１０の下面１０ｕと他方の床版１０の下面１０ｕとが例えば同一水平面上に位置される複数の主桁上に設置される場合、一対の挿入部３１Ａ；３１Ｂの下面３ｕが水平面となるように一対の挿入部３１Ａ；３１Ｂが各凹部２１Ａ；２１Ｂに挿入され、挿入部３１Ａの内面３１ａ；３１ｂが垂直面となる。
そして、橋軸方向Ｘに沿って隣り合う床版１０，１０同士が継手１で連結された後、図１０（ｄ）に示すように、凹部２１Ａ，２１Ｂ内、及び、凹部２１Ａ，２１Ｂと繋ぎ部材３の上方に充填材１６を充填することにより、繋ぎ部材３の凹部２１Ａ，２１Ｂからの抜け防止が図れるとともに、図１に示すように、隣り合う床版１０，１０の端面１１ｓ，１１ｓ間の隙間である目地１５に充填材１６を充填することにより、互いに隣り合う床版１０，１０同士の接合が完了する。
【００２５】
即ち、実施形態７に係る継手１によれば、受部材２Ａ；２Ｂとして、例えば、下面２ｕが水平面に設置された場合に、凹部２１Ａ，２１Ｂの内壁面２８ａ；２８ｂが水平面と直交する面となるように形成された構成の受部材２Ａ；２Ｂが使用され、楔部材４が嵌入される隙間を形成する凹部２１Ａ；２１Ｂを有した当該受部材２Ａ；２Ｂは、凹部２１Ａ；２１Ｂの内壁面２８ａ；２８ｂが傾斜面となるよう傾けられて床版１０；１０の端部１１；１１側に設置される。そして、図１０（ａ）に示すように、隣り合う各床版１０，１０の端面１１ｓ；１１ｓ同士が対向するように配置されて、一方の受部材２Ａの凹部２１Ａの内壁面２８ａと他方の受部材２Ｂの凹部２１Ｂの内壁面２８ｂとが、上方から下方に向けて互いに離れるように傾斜する傾斜面となるように構成され、各凹部２１Ａ，２１Ｂに挿入されて各凹部２１Ａ，２１Ｂの内壁面２８ａ；２８ｂと当該内壁面２８ａ；２８ｂと対向することになる一対の挿入部３１Ａ；３１Ｂの互いに対向する内面３１ａ；３１ｂとの間に各凹部２１Ａ，２１Ｂの上方から楔部材４；４が嵌入されることによって、互いに隣り合う各受部材２Ａ；２Ｂと繋ぎ部材３とが結合されて、隣り合う各床版１０，１０が連結されるように構成されるので、各実施形態と同様に、橋軸方向Ｘに沿って隣り合う各床版１０，１０の端部１１，１１に埋設された各受部材２Ａ，２Ｂ同士の左右方向や上下方向のずれが生じた場合であっても、繋ぎ部材３と受部材２Ａ，２Ｂとを結合できるようになる。
【００２６】
また、受部材２Ａ；２Ｂとして、下面２ｕが水平面に設置された場合に、凹部２１Ａ，２１Ｂの内底面２５ａ；２５ａが水平面と平行な面となるように形成されるとともに、凹部２１Ａ，２１Ｂの内壁面２８ａ；２８ｂが凹部２１Ａ，２１Ｂの内底面２５ａ；２５ａと直交する面となるように形成された構成のものを使用することによって、受部材２Ａ；２Ｂの製造が簡単となり、受部材２Ａ；２Ｂの製造コストを低減できるようになる。
また、繋ぎ部材３として、一対の挿入部３１Ａ；３１Ｂの下面３ｕ及び一対の挿入部３１Ａ；３１Ｂを繋ぐ連結部３２の下面３ｕが連続する平面に形成されるとともに、一対の挿入部３１Ａ；３１Ｂの上面３ｔ及び一対の挿入部３１Ａ；３１Ｂを繋ぐ連結部３２の上面３ｔが連続する平面に形成され、かつ、挿入部３１Ａ；３１Ｂの上面３ｔと下面３ｕとを繋ぐ壁面及び連結部３２の上面３ｔと下面３ｕとを繋ぐ壁面が、上面３ｔ及び下面３ｕと直交する面となるように形成された構成のものを使用することによって、繋ぎ部材３の製造が簡単となり、繋ぎ部材３の製造コストを低減できるようになる。
【００２７】
実施形態３乃至実施形態７の図６乃至図１０において、実施形態１の図１乃至図４と同一又は相当部分には同一符号を付して詳細な説明を省略した。
【００２８】
尚、図４に示した実施形態１、図７に示した実施形態４、図９に示した実施形態６の継手１は、楔部材４が嵌入される隙間を形成する凹部２Ａ；２Ｂの内壁面２８ａ；２８ｂが垂直面となるとともに、当該内壁面２８ａ；２８ｂと対向する挿入部３１Ａ；３１Ｂの対向面３１ａ；３１ｂが、凹部２１Ａ；２１Ｂの開口２９側から凹部２１Ａ；２１Ｂの底側に近付くほど内壁面２８ａ；２８ｂに近付くように傾斜している傾斜面となるように構成される。
また、図６に示した実施形態３、図８に示した実施形態５、図１０に示した実施形態７の継手１は、楔部材４が嵌入される隙間を形成する凹部２Ａ；２Ｂの内壁面２８ａ；２８ｂが傾斜している傾斜面となるとともに、当該内壁面２８ａ；２８ｂと対向する挿入部３１Ａ；３１Ｂの対向面３１ａ；３１ｂが、凹部２１Ａ；２１Ｂの開口２９側から凹部２１Ａ；２１Ｂの底側に近付くほど内壁面２８ａ；２８ｂに近付くように形成されている垂直面となるように構成される。尚、この場合、内壁面２８ａ；２８ｂと対向する挿入部３１Ａ；３１Ｂの対向面３１ａ；３１ｂが、凹部２１Ａ；２１Ｂの開口２９側から凹部２１Ａ；２１Ｂの底側に近付くほど内壁面２８ａ；２８ｂに近付くように形成されている傾斜面となるように構成されていてもよい。
即ち、内壁面２８ａ；２８ｂと対向面３１ａ；３１ｂとの間で形成される楔部材４が嵌入される隙間の間隔が、凹部２１Ａ；２１Ｂの開口２９側から凹部２１Ａ；２１Ｂの底側に向けて徐々に狭くなるように形成されればよい。
そして、図１０に示した実施形態７の継手１の場合、楔部材４が嵌入される隙間を形成する凹部２Ａ；２Ｂを有した受部材２Ａ；２Ｂは、凹部２Ａ；２Ｂの内壁面２８ａ；２８ｂが傾斜面となるように傾けられて床版１０の端部側に設置された構成である。
尚、互いに隣り合う受部材２Ａ；２Ｂのうち、片方の受部材だけが、内壁面が傾斜面となるように傾けられて床版１０の端部１１側に設置された構成としてもよい。
【００２９】
以上説明したように、本発明の継手１は、隣り合う各床版１０，１０の端部に埋設された各受部材２Ａ，２Ｂ同士の左右方向や上下方向のずれが生じた場合であっても、一方の受部材２Ａと他方の受部材２Ｂとを、繋ぎ部材３と楔部材４とを用いて、フレキシブルに結合できるように構成したものである。
即ち、単に部材と部材とを固定状態に結合するために部材と部材との間に楔部材を嵌入することは周知の技術であるが、隣り合う各床版１０，１０の端部に埋設された各受部材２Ａ，２Ｂ同士の左右方向や上下方向のずれが生じた場合に、一方の受部材２Ａと他方の受部材２Ｂとをフレキシブルに結合できるようにするために、楔部材４を用いるという本願発明は、新規で独創的な発明であるといえる。
【００３０】
また、本発明の継手１では、挿入部３１Ａ，３１Ｂの内面３１ａ，３１ｂ又は凹部２１Ａ，２１Ｂの内壁面２８ａ，２８ｂである傾斜面の傾斜角度と、当該挿入部３１Ａ，３１Ｂの内面３１ａ，３１ｂ又は凹部２１Ａ，２１Ｂの内壁面２８ａ，２８ｂに接触する楔部材４の傾斜面４ａの傾斜角度と、が同一傾斜角度に形成された構成としたことにより、楔部材４の圧入動作によって、楔部材４の傾斜面４ａの全面が、挿入部３１Ａ，３１Ｂの内面３１ａ，３１ｂ、又は、凹部の内壁面２８ａ，２８ｂと密着するため、受部材２Ａ，２Ｂと繋ぎ部材３との良好な固定状態を維持できるようになる。
即ち、受部材２Ａ，２Ｂの凹部２１Ａ，２１Ｂの内壁面２８ａ，２８ｂと楔部材４とが互いに面接触する面を備えた構成とした。
尚、挿入部３１Ａ，３１Ｂの内面３１ａ，３１ｂ又は凹部２１Ａ，２１Ｂの内壁面２８ａ，２８ｂである傾斜面の傾斜角度と楔部材４の傾斜面４ａの傾斜角度とが同一傾斜角度でなくても、楔部材４による楔の機能が発揮されればよい。
【００３１】
また、本発明の継手１では、繋ぎ部材３の挿入部３１Ａや挿入部３１Ｂにおいて連結部３２を挟んで隣り合う左右一対の内面にそれぞれ対応するように、楔部材４，４を圧入する構成とした（図２，図３参照）ことにより、各受部材２Ａ，２Ｂと繋ぎ部材３との結合において、左右のバランスが良好な固定状態を維持できるようになる。
【００３２】
尚、各実施形態においては、繋ぎ部材３を凹部２１Ａ，２１Ｂの内底面２５ａ側に設置する際には、凹部２１Ａ，２１Ｂの内底面２５ａに図外のスペーサを設置しておいて、繋ぎ部材３の下面３ｕを当該スペーサの上に載せて繋ぎ部材３を橋軸方向Ｘに沿って移動可能な状態に設置してから楔部材４を挿入することにより、楔部材４と凹部２１Ａ，２１Ｂの内壁面と繋ぎ部材３の内面との密着性、及び、凹部２１Ａ，２１Ｂの内壁面と繋ぎ部材３の内面との密着性が向上し、継手１により、隣り合う床版１０，１０同士を強固に連結できるようになる。
【００３３】
また、本発明に係るコンクリート部材の継手は、橋軸方向Ｘに沿って隣り合うコンクリート部材としての各床版１０，１０同士を連結する以外に使用可能である。例えば、橋軸方向Ｘに沿って隣り合うコンクリート部材としての各壁高欄同士、その他のコンクリート部材同士を連結する継手としても使用可能である。
【符号の説明】
【００３４】
１  継手、２Ａ，２Ｂ  受部材、３  繋ぎ部材、３ｔ  繋ぎ部材の上面、
３ｕ  繋ぎ部材の下面、４  楔部材、４ａ  楔部材の傾斜面、
２１Ａ，２１Ｂ  凹部、２８ａ，２８ｂ  凹部の内壁面、２３  定着部、
３１Ａ，３１Ｂ  挿入部、３１ａ，３１ｂ  挿入部の内面、３２  連結部、
１０  床版（コンクリート部材）、１１  床版の端部、１１ｓ  床版の端面、
ａ，ａ…  複数の部材。
【図１】
2020159121.tif 000003
【図２】
2020159121.tif 000004
【図３】
2020159121.tif 000005
【図４】
2020159121.tif 000006
【図５】
2020159121.tif 000007
【図６】
2020159121.tif 000008
【図７】
2020159121.tif 000009
【図８】
2020159121.tif 000010
【図９】
2020159121.tif 000011
【図１０】
2020159121.tif 000012